Podtech/llm-jp-corpus-v4-ja_patent huggingface dataset:
(57)【要約】【課題】  本考案は自動機車の本体のサイド、フェンダー、ドアーミラーの左右の鏡に角度付特殊鏡を設け、又ハンドル、クラッチレバーと連結作動の前述の特殊鏡を左右に設け、直走行時、右左折時に通常の被写体外も映し、接触、巻き込み等の交通事故を避ける事が出来、交通安全に役立ち、事故防止にもなる。【解決手段】  本考案は自動機車の本体の左右のサイド、フェンダー、ドアーミラーに特殊の鏡を設けたもので、右側に設置した２の通常の鏡に３の角度付鏡を設け、走行時、右折時に通常の被写体外の右被写体を映し見る事が出来、接触、巻き込み等の事故防止になり、又ハンドル、クラッチレバーの連結作動で左側に設置した鏡が左折時に６の鏡の位置から５の鏡の位置に作動する事によって通常の被写体より左被写体外を映す事になり、更に事故防止に役立つ。当然上記の事項は左右正反対となる。【選択図】図２
0003127516.tif 000002
【実用新案登録請求の範囲】
【請求項１】
自動機車のサイド、フェンダー、ドアーミラーの鏡の一部に通常の被写体外の被写体を映す角度付鏡を設けた事を特徴とする自動機車のサイド、フェンダー、ドアーミラーの鏡。
【請求項２】
前記サイド、フェンダー、ドアーミラーの角度付鏡をさらに、ハンドル、クラッチレバーと連結作動させる事を特徴とする請求項１記載の鏡。
【考案の詳細な説明】
【技術分野】
【０００１】  本考案は自動車、単車、作業重機等の自動機車のサイド、フェンダー、ドアーミラーの鏡の一部分に角度を設けた事、ハンドル、クラッチのチェンジレバーの作動に連結したサイド、フェンダー、ドアーミラー鏡に関するものである。
【背景技術】
【０００２】  自動機車を運転走行していて、直走行、右左折する時に安全確認のため、左右の物体を鏡の被写体等で確認する必要がある。
【考案の開示】
【考案が解決しようとする課題】
【０００３】  自動機車の安全走行の為、運転者は常に前方、後方、左右の物体確認が必要ですが、右左折の場合、車体に固定されたサイド、フェンダー、ドアーミラーの鏡の被写体は通常の直走行時に映し出される角度の後方被写体のみです。そこで被写体外、接近物体、他の走行物体が接近してきた場合確認、発見が出来る特殊鏡にして前述の欠点を解決しようとするものです。
【課題を解決する為の手段】
【０００４】  本考案は、自動機車の本体の左右にサイド、フェンダー、ドアーミラーの各鏡の一部分に角度付特殊鏡を設け、又ハンドル、クラッチのチェンジレバーの作動と連結して鏡を作動させ、直走行時、右左折時の場合通常の被写体外の他の接近してくる物体を、運転者が確認できるようにして、問題を解決してる。
【考案の効果】
【０００５】  上述の様に、本考案の鏡の一部分に角度を設けた特殊鏡、ハンドル、クラッチのチェンジレバーの作動と連結した特殊鏡をサイド、フェンダー、ドアーミラーの自動機車に設置した場合、直走行、右左折時に鏡に通常の被写体外、死角の他の被写体を確認する事が出来、交通接触事故、巻き込み事故等が避けられ交通安全に役立つ。
【考案を実施する為の最良の形態】
【０００６】  自動機車に上述のサイド、フェンダー、ドアーミラーに角度付特殊鏡を設けた場合は、鏡本体の角度は通常の被写体が映るように設置し、角度部分は通常被写体の続きの左右共外側の被写体を映す鏡の角度にしておき、右左折時に接近する物体を映します。ハンドル、クラッチのチェンジレバーの作動と連結してる特殊鏡はハンドルを左回転して左折時には左側の鏡のみ左外側に、ハンドルを右回転して右折時には右側の鏡のみ右外側に、それぞれ通常の位置から左右の指定位置に連結作動させ、左右それぞれ接近する物体を映させて走行を助けます。右左折が完了し、ハンドルが直走行位置に移った場合、自動的に左右の鏡は連結作動し指定の元の通常の位置に戻るように設定します。次にクラッチのチェンジレバーがバック、パーキングに入りますと、これも上述と同様に指定の元の通常の位置に戻るように設定します。連動鏡は特殊鏡とは限らない。
【実施例】
【０００７】  以下、添付図面に従って一実施例を説明する。１は自動機車の右側に設置されたサイド、フェンダー、ドアーミラーの本体、２は設置された通常の鏡部分、３は２の通常の鏡に設置された外側の被写体を映す角度付鏡部分である。【０００８】  ４は自動機車の左側のサイド、フェンダー、ドアーミラーの断面図で、５は左折時にハンドルを左回転時の被写体を映す鏡の位置の一例、６は直走行時、クラッチレバーのバック、パーキング時の鏡の通常の位置、７は左側自動機車の本体の一部分である。
【図面の簡単な説明】
【０００９】
【図１】本考案の角度付ドアーミラーの特殊鏡の一例図である。
【図２】本考案のハンドルとクラッチレバーに連結したドアーミラーの特殊鏡の一例図である。
【符号の説明】
１    自動機車の右側のドアーミラーの本体
２    通常の被写体を映す鏡
３    通常の鏡より外側の被写体を映す鏡
４    自動機車の左側のドアーミラーの断面図
５    自動機車の左側ドアーミラーの左折時の鏡の位置の一例
６    自動機車の通常の鏡の位置
７    自動機車の左側本体の一部分
【図１】
0003127516.tif 000003
【図２】
0003127516.tif 000004
(57)【要約】【課題】チューブ又はカートリッジに入ったシーリング剤、コーキング剤、接着剤等の内容物を使い残して、次の使用時まで保存しておく場合に、内容物が固まらないように保存するノズルを提供すること。【解決手段】ノズルの中空円錐形の下部外周にオスネジを設けて、既存のノズルをキャップとして羅着できる構造としたシーリング剤等のチューブ又はカートリッジ用ノズル。【選択図】図１
0003127518.tif 000002
【実用新案登録請求の範囲】
【請求項１】
シーリング剤、コーキング剤、接着剤等の容器として用いられているチューブ又はカートリッジのノズルにおいて、ノズルの中空円錐形の下部外周にオスネジを設けて、既存のノズルをキャップとして羅着できる構造とした、シーリング剤等のチューブ又はカートリッジ用ノズル。
【請求項２】
請求項１のノズルにおいて、ノズルの中空円錐形の下部外周には、オスネジに替えてその円周を一周する凸部又は間欠的な凸部を設け、それに被せるキャップは、中空円錐形の内周にその円周を一周する凹部を設けた、シーリング剤等のチューブ又はカートリッジ用ノズル。
【考案の詳細な説明】
【技術分野】
【０００１】  本考案は、シーリング剤、コーキング剤、接着剤等の容器として用いられているチューブ又はカートリッジのノズルに関するものである。
【背景技術】
【０００２】  業務用のシーリング剤、コーキング剤、接着剤等を使用する場合、そのチューブ又はカートリッジの先端にプラスチック製のノズルを嵌め込んで、そのノズルの先端をナイフ等で切って、チューブ又はカートリッジを押すと、内容物がノズルの先端より出て使用できるが、使用後まだ内容物が残っている場合は、次の使用までの間ノズルの先端を閉めて、内容物が凝固するのを防ぐ必要がある。
そのため、従来はノズルの先端に釘や木ネジを差し込んだり、粘着テープを巻いたり、ティシュペーパーを丸めてノズルの先端に差し込んだりして内容物が凝固するのを防止していた。
しかし、その場合外気との遮断状態が不充分であると内容物が固まりやすく、日にちを置いて使用しようとすると内容物が固まって使用できないということがしばしばあった。
【考案の開示】
【考案が解決しようとする課題】
【０００３】  しかし、この対策のために提案されたものは従来なかった。
本考案は、シーリング剤、コーキング剤、接着剤等を使用後に残存内容物が外気との遮断状態が悪くて固まってしまい、再使用できなくなるのを防止する、シーリング剤等のチューブ又はカートリッジ用ノズルを提供しようとするものである。
【課題を解決するための手段】
【０００４】  従来のノズルは、その基部の内周にはシーリング剤等のチューブ又はカートリッジの口のネジ部分にねじ込むためのメスネジが切ってあり、その上部は中空の円錐形となっている。
本考案の第１案においては、従来のノズルの中空円錐形の下部外周にオスネジ部を設けて、従来のノズルをキャップとして羅着できるようにしたものである。
本考案の第２案においては、第１案のオスネジに替えて中空円錐形の下部にその円周を一周する凸部又は間欠的な凸部を設ける。そしてそれに被せるキャップは、中空円錐形の下部内周に凹部を設ける。
【考案の効果】
【０００５】  本考案を使用することにより、途中まで使用したシーリング剤等の保存状態を良くし、内容物が固まらない状態を長く保つことができる。
また、保存、再使用が手を汚すことなく簡単にできる。
第１案の場合には、本考案の上にキャップとして従来のノズルが使用できるので便利である。
【考案を実施するための最良の形態】
【０００６】  本考案の実施例１を図１及び図３により説明する。
従来のノズル（３１）は、図３に示すようなものであるが、本考案のノズル（１）は図１に示す如く、中空円錐形の下部外周にオスネジ（３）及びつば（４）を設けたものである。
本考案のノズル（１）の先端をナイフ等で切って、シーリング剤等のチューブ又はカートリッジ（４１）に螺着して使用後、内容物が残っている場合は、本考案のノズル（１）の上に従来のノズル（３１）をキャップとして被せて螺着する。これにより、内容物が固まるのを防止することができる。【０００７】  本考案の実施例２を図２により説明する。
実施例２においては、実施例１の中空円錐形の下部のオスネジ（３）に替えて、円錐部（１２）の下部にその円周を一周する凸部（１３）を設ける。凸部（１３）は間欠的な凸部としてもよい。
それに被せるキャップは、従来のノズル（３１）をキャップとして使用することはできないので、図２に示すようなキャップ（２１）とする。該キャップ（２１）は、中空円錐形の下部内周に凹部（２３）を設けてあり、これをノズル（１１）に被せて押し込むとノズル（１１）の凸部（１３）がキャップ（２１）の凹部（２３）嵌まり込んで密着する。これにより、外気が遮断されて内容物が固まるのを防止することができる。
尚、実施例１においても実施例２においても、キャップをする時にキャップの中に水を入れておくと、さらに気密性が保たれて保存状態がよくなる。
【図面の簡単な説明】
【０００８】
【図１】本考案の実施例１の正面図
【図２】本考案の実施例２の正面図
【図３】従来のノズルの正面図
【図４】本考案の実施例１の断面図
【図５】実施例１においてキャップを取り付けた状態を示す参考図
【図６】実施例２においてキャップを取り付けた状態を示す参考図
【符号の説明】
【０００９】  １  ノズル
２  円錐部
３  オスネジ
４  つば
５  基部
１１  ノズル
１２  円錐部
１３  凸部
１４  つば
１５  基部
２１  キャップ
２２  円錐部
２３  凹部
２４  つば
３１  ノズル
３２  円錐部
３３  基部
４１  チューブ又はカートリッジ
【図１】
0003127518.tif 000003
【図２】
0003127518.tif 000004
【図３】
0003127518.tif 000005
【図４】
0003127518.tif 000006
【図５】
0003127518.tif 000007
【図６】
0003127518.tif 000008
(57)【要約】【課題】ゴミ遺棄に便利なシュレッダー紙屑桶ペダル移出装置を提供する。【解決手段】シュレッダー紙屑桶ペダル移出装置は、外殻と内桶からなる分離式シュレッダー桶で、外殻底部前縁はペダルを増設し、ペダルを踏むと、内桶が外に傾斜する。【選択図】図１
0003127533.tif 000002
【実用新案登録請求の範囲】
【請求項１】
シュレッダー紙屑桶のペダル移出装置であって、
前側と頂端が中空で、底端前縁はペダルを有し、前記ペダルは連接板を栓接し、前記連接板は軸棒上に設置され、もう一端は頂板を栓接し、前記頂板はノッチから伸出する外殻と、
頂端が開口で、前記外殻内に置入される内桶と、
からなることを特徴とする紙屑桶のペダル移出装置。
【請求項２】
前記外殻前縁両側に横棒を有し、内桶底部前縁両側に嵌孔を有し、前記外殻の横棒は前記内桶の嵌孔内に嵌入して、前記内桶の脱離を防止することを特徴とする請求項１に記載の紙屑桶のペダル移出装置。
【考案の詳細な説明】
【技術分野】
【０００１】
本考案は、シュレッダー紙屑桶をペダル移出する装置に関するものであって、特に、ペダルでシュレッダーの内桶を移出し、ゴミ遺棄に便利である装置に関するものである。
【背景技術】
【０００２】
公知のシュレッダー下方の紙屑桶は、紙屑を容納するだけで、紙屑桶の移出方式は、上方のシュレッダーを移動させなければならないので、非常に面倒で、よって、ゴミ箱の功能を兼具しない。
【考案の開示】
【考案が解決しようとする課題】
【０００３】
本考案は、シュレッダー紙屑桶をペダル移出する装置を提供し、使用者はペダルを踏むだけで、紙屑桶の内桶を移出し、遺棄を便利にすることを目的とする。
【課題を解決するための手段】
【０００４】
本考案のシュレッダー紙屑桶ペダル移出装置は、外殻と内桶からなる分離式シュレッダー桶で、外殻底部前縁はペダルを増設する。
【考案の効果】
【０００５】
本考案の構造により、ペダルを踏むと、内桶が外に傾斜し、ゴミ遺棄に便利である。
【考案を実施するための最良の形態】
【０００６】
図１、図２で示されるように、本考案の紙屑桶１０上方にシュレッダー２０を配置し、その特徴は以下のようである。
【０００７】
紙屑桶１０は、外殻１１、及び、内桶１２からなり、外殻１１の前側、及び、頂端は中空で、底部上方は、二つの直線滑槽１１１を有し、滑槽１１１の内側は定位孔１１２を有する。内桶１２は頂端が開口する桶体で、その前方に前板１２１を有し、底部は二つの直線トラック１２２（図３）を有する。トラック１２２の内縁は滑輪１２３を有し、内桶１２はトラック１２２により外殻１１の滑槽１１１内に滑入すると共に、滑輪１２３は滑槽１１１内で滑動し、滑輪１２３は、滑槽１１１内側の定位孔１１２内に嵌入定位する。内桶１２が完全に外殻１１内に滑入する時、内桶１２の前板１２１と外殻１１が、単一辺の開口の紙屑桶を形成する。内桶１２の前板１２１上方に、ウィンドウ１２１１を有し、紙屑桶内の紙の量を検出する。外殻１１の両側頂端にそれぞれ、弧形の凹孔１１３を有し、両手で紙屑桶１０を持ち上げやすい。
【０００８】
本考案の主な特徴は、図４で示され、外殻１１の底部前縁にペダル１３を装着し、ペダル１３は連接板１４を栓接し、連接板１４が軸棒１５上に拠置され、シーソー構造を形成し、連接板１４のもう一端は頂板１６を栓接し、垂直な頂板１６が外殻１１のノッチ１１４から伸出する。内桶１２が外殻１１上に放置される時、内桶１２の底部は頂板１６を下圧し、同時に、連接板１４とペダル１３が水平状を呈する。図５を参照すると、使用者がペダル１３を踏む時、連接板１４は軸棒１５を中心に頂板１６を帯動して内桶１２を上支し、内桶１２は外側に傾斜してゴミ遺棄が容易である。ペダル１３を放すと、内桶１２は元に回復する。
【０００９】
図二で示されるように、外殻１１の二滑槽１１１の前縁両側が、それぞれ、横棒１７を設置し、横棒１７が内桶１２前縁両側の嵌孔１２４内に嵌入されて、内桶１２が外殻１１を脱離するのを防止する。
【００１０】
本考案の紙屑桶ペダル移出装置は、紙屑桶前側にペダルを有し、使用者はペダルを踏むと、内桶が外に傾斜して、ゴミを捨てることができ、功能を追加した新商品である。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】本考案の外観図である。
【図２】本考案の分解図である。
【図３】本考案の内桶の部分構造図である。
【図４】本考案の外殻の部分構造図である。
【図５】本考案の実施例図である。
【符号の説明】
【００１３】
１０      紙屑桶
１１      外殻
１１１    滑槽
１１２    定位孔
１１３    凹孔
１１４    ノッチ
１２      内桶
１２１    前板
１２１１  ウィンドウ
１２２    トラック
１２３    滑輪
１２４    嵌孔
１３      ペダル
１４      連接板
１５      軸棒
１６      頂板
１７      横棒
２０      シュレッダー
【図１】
0003127533.tif 000003
【図２】
0003127533.tif 000004
【図３】
0003127533.tif 000005
【図４】
0003127533.tif 000006
【図５】
0003127533.tif 000007
(57)【要約】【課題】安全を確保するシュレッダーの安全ブレーカーを提供する。【解決手段】シュレッダーの安全ブレーカーは、主に、シュレッダーの進紙口周辺に接触板を有する導電体を設置し、人体、動物、金属、或いは、水が進紙口に進入して接触板に接触する時、シュレッダーは即時に停止する。【選択図】図３
0003127536.tif 000002
【実用新案登録請求の範囲】
【請求項１】
シュレッダーの安全ブレーカーであって、前記シュレッダーの進紙口周辺に平面の接触板を設置し、前記接触板と接続する回路板上に、継電器、二個のダイオード、制御スイッチ、及び、トランジスタを有し、前記継電器とモーターの入力端と出力端は連接し、前記ダイオードと放電ユニットを形成し、前記接触板に接触すると、電流が二トランジスタともう一つのトランジスタを流れて、出力を拡大し、前記シュレッダーの通路回路が開回路になって、電源を切断することを特徴とするシュレッダーの安全ブレーカー。
【請求項２】
前記接触板は、シール方式で前記シュレッダー上に貼設することを特徴とする請求項１に記載のシュレッダーの安全ブレーカー。
【請求項３】
前記接触板は、導電漆により前記シュレッダー上に印刷することを特徴とする請求項１に記載のシュレッダーの安全ブレーカー。
【請求項４】
前記シュレッダーの進紙口周辺構造自身が導電体であることを特徴とする請求項１に記載のシュレッダーの安全ブレーカー。
【考案の詳細な説明】
【技術分野】
【０００１】
本考案は、シュレッダーの安全ブレーカーに関するものであって、特に、シュレッダーの進紙口周辺に平面の接触板を設置し、動物や金属が接触板に接触した時、シュレッダーを停止させる安全ブレーカーに関するものである。
【背景技術】
【０００２】
シュレッダーは、機密文書の破棄以外に、シュレッダーで刻んだ紙を回収することができ、各シュレッダー自身には電源スイッチが設置されていて、シュレッダーの電源を操作する。操作者は使用上の便宜から、大部分、オンの状態にしており、シュレッダー使用時、直接、紙を送入する。しかし、時に、幼児が誤って手指を進紙口内に差し込む危険や、猫や犬などペットの尾や舌などがシュレッダー内に入り、傷害することも発生する。
【考案の開示】
【考案が解決しようとする課題】
【０００３】
本考案は、シュレッダーの安全ブレーカーを提供し、操作者の指、或いは、動物の肢体が誤って進紙口内に入った場合、ただちに操作を停止する。
【課題を解決するための手段】
【０００４】
本考案のシュレッダーの安全ブレーカーは、一般のシュレッダーの進紙口周辺に平面の接触板を設置して、上述の目的を達成する。
【考案の効果】
【０００５】
本考案のシュレッダーの安全ブレーカーにより、操作者の指、或いは、動物の肢体が誤って進紙口内に入った場合、ただちに操作を停止する。
【考案を実施するための最良の形態】
【０００６】
図１、及び、図２は、本考案のシュレッダー１０の進紙口１１周辺に、平面の接触板（touch  board）２０を設置し、シュレッダー１０の電源スイッチ１２がオンの時、紙を進紙口１１内に送入して、シュレッダー作業を行う。操作者の指、或いは、動物の肢体、金属等が誤って接触板２０に接触すると、シュレッダーはただちに操作を停止する。
【０００７】
図３は、本考案の好ましい実施例による回路図である。回路板３０上に、接触板２０と接続される、継電器３１、二個のダイオード３２、３６、制御スイッチ３３、及び、二個のトランジスタ３４、３５、を有する。継電器３１は、それぞれ、モーターの入力端（motor−power  input）と出力端（motor−power  output）に接続され、一ダイオード３２は放電ユニットを形成し、継電器３１上方に制御スイッチ３３を有して継電器３１を制御し、制御スイッチ３３上方はDC電源入力端（正極）に連接される。この回路の操作原理は、操作者の指、或いは、動物の肢体、金属等が接触板２０に接触すると、二トランジスタ３４、３５ともう一つのダイオード３６が出力を拡大して、制御スイッチ３３を導通させ、制御スイッチ３３により継電器３１を制御し、シュレッダーの元のノーマルクローズ回路から開回路にして、シュレッダーの電源を停止する。
【０００８】
本考案の接触板２０は、図１、図２で示されるようなシール造型以外に、図４で示されるように、直接、導電漆をシュレッダー１０の進紙口１１周辺に印刷するか、或いは、進紙口１１周辺のプラスチックハウジング自身を導電体に製作することもできる。
【０００９】
本考案のシュレッダーの安全ブレーカーは、シュレッダーの進紙口周辺に接触板を設置し、人体、動物、金属、或いは、水が進紙口に進入して接触板に接触する時、シュレッダーは即時に停止し、安全を確保する。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１１】
【図１】本考案の外観図である。
【図２】本考案の分解図である。
【図３】本考案の好ましい実施例の回路図である。
【図４】本考案の実施例図である。
【符号の説明】
【００１２】
１０  シュレッダー
１１  進紙口
２０  接触板
３０  回路板
３１  継電器
３２  ダイオード
３３  制御スイッチ
３４、３５  トランジスタ
３６  ダイオード
【図１】
0003127536.tif 000003
【図２】
0003127536.tif 000004
【図３】
0003127536.tif 000005
【図４】
0003127536.tif 000006
(57)【要約】      （修正有）【課題】ケチャップやマヨネーズ、ソース等流動体容器のキャップは便利で使いやすいが、シンプルすぎて娯楽性、独創性に欠けている。【解決手段】ケチャップやマヨネーズ、ソース等流動体容器の開口部に装着するボトルキャップの形状を人間又は動物等のキャラクターの顔を模した愛嬌のあるものとし、その顔に形成された鼻孔形状を注出口とすることで、娯楽的な気分で楽しく使用できるようにしたキャラクターボトルキャップグッズを提供する。【選択図】図１
0003127586.tif 000002
【実用新案登録請求の範囲】
【請求項１】
ケチャップやマヨネーズ、ソース等の流動体を収容する容器の開口部に装着するボトルキャップグッズであって、形状が人間又は動物等のキャラクターの顔を模した頭部から形成され、その頭部に鼻形状が形成されると共に鼻孔形状が注出口として形成されていることを特徴とするボトルキャップグッズ。
【考案の詳細な説明】
【技術分野】
【０００１】
本考案は、ケチャップやマヨネーズ、ソース等の流動体を収容する容器の開口部に装着するボトルキャップグッズで、このボトルキャップグッズをキャラクターの顔を模した形状とし、その顔に形成された鼻孔形状を注出口としたキャラクターボトルキャップグッズに関する。
【背景技術】
【０００２】
従来、ケチャップやマヨネーズ、ソース等の流動体を収容する容器の開口部には、雄ネジ形状にキャップの内周に設けられた雌ネジ形状を螺合することによって、該キャップで容器内を密封するようにしている。
【０００３】
上記のキャップがカバー付の注出口になっており、密封するようにしている。
【考案の開示】
【考案が解決しようとする課題】
【０００４】
上記のキャップでは便利で使いやすいが、シンプルすぎて娯楽性、独創性に欠けている。
【課題を解決するための手段】
【０００５】
ケチャップやマヨネーズ、ソース等容器の開口部に装着するボトルキャップの形状を人間又は動物等のキャラクターの顔を模した愛嬌のあるものとし、その顔に形成された鼻孔形状を注出口とすることで、娯楽的な気分で使用できるようにしたキャラクターボトルキャップグッズを提供することを特徴としている。
【考案の効果】
【０００６】
本考案によるキャラクターボトルキャップグッズは、ケチャップやマヨネーズ、ソース等容器に装着し、調理時や食事の際使用すると、その形状、効果から娯楽的な気分を満喫することが可能となる。
【考案を実施するための最良の形態】
【０００７】
以下、本考案の実施例について図面を参照しながら説明する。
【実施例】
【０００８】
本考案によるキャラクターボトルキャップグッズ１は、図１に示すように、人間又は動物等のキャラクターの顔を模した頭部から形成され、ケチャップやマヨネーズ、ソース等の流動体容器２の開口部３に装着する。図１又は図２に示すように、鼻形状４に注出口となる鼻孔形状５が２個形成されてなるものである。
【０００９】
図３又は図４に示すように、容器を密封する場合は、図４の様に密封蓋６を鼻形状４に装着するとよい。その際密封蓋６内の突部７が注出口（鼻孔形状）５に嵌合することにでより密封度を高めることができる。
【００１０】
図３に示すように、雌ネジ形状が形成され、流動体容器２の雄ネジ部９にねじ込むことによって装着することが可能とされている。
【００１１】
密封蓋６はキャラクターボトルキャップグッズ１の所定箇所に連結条１０で連結することによって、紛失防止とし、必要なときには密封蓋６をすることが可能である。
【００１２】
密封蓋６の取付け方法としては、鼻形状４に密着嵌合するキャップ形状の密封蓋６に合成樹脂等の曲がる性質の素材による紐状の連結条１０で連結し、その端部をボトルキャップグッズ１に固定した状態としておけばよい。
【００１３】
図１に示すキャラクターボトルグッズを装着する流動体容器２の容量が小さい場合、もしくは流動体容器２の内容物が密封する必要のない場合上記の密封蓋６および連結条１０は削除してもよい。その場合、注出口（鼻孔形状）５に使い捨てのシール等を
装着し、流動体容器２の内容物が流出しないよう密封する。
【００１４】
図１又は図２に示すキャラクターボトルキャップグッズ１の形状は、一例としてブタの顔を模した形状としてあるが、他に人間又は動物等のキャラクターの顔を表現したもの、俳優、女優等を含むタレント、スポーツ選手等の人気キャラクター、さらにはロボットを含む人間や動物を登場させるアニメ、漫画等のキャラクターの顔等を表現したものとしてもよい。
【産業上の利用可能性】
【００１５】
本考案によるキャラクターボトルキャップグッズは、ケチャップやマヨネーズ、ソース等容器に装着し、調理時や食事の際使用すると、その形状、効果から調味料を楽しく使用することが可能となるため、人気のあるキャラクターを使用しジョークグッズとして販売したり、メーカーの販売促進グッズとしても利用可能である。
【図面の簡単な説明】
【００１６】
【図１】本考案によるキャラクターボトルキャップグッズを流動体容器の開口部に装着した状態を示す正面図である。
【図２】本考案によるキャラクターボトルキャップグッズの上面図である。
【図３】本考案によるキャラクターボトルキャップグッズの縦断面図であり、流動体容器を開口部から取り外した状態を示す正面図である。
【図４】本考案によるキャラクターボトルキャップグッズの縦断面図であり、密封蓋を嵌合した状態を示す正面図である。
【符号の説明】
【００１７】
１  ボトルキャップグッズ
２  流動体容器
３  開口部
４  鼻形状
５  注出口（鼻孔形状）
６  密封蓋
７  突部
８  雌ネジ形状
９  雄ネジ形状  
１０  連結条
【図１】
0003127586.tif 000003
【図２】
0003127586.tif 000004
【図３】
0003127586.tif 000005
【図４】
0003127586.tif 000006
(57)【要約】【課題】試料コード両端に圧着端子を取り付け、結び目による遊びをなくし、またコードの抜けをなくすことで熱応力等の測定が可能となる試料を提供することを目的とする。【解決手段】両端を治具３で固着した繊維コードを試験機に取付けて繊維コードの特性を測定する際に使用する繊維コード試料１であり、上記治具３が繊維コード２を圧着固定する筒状の固定部５と、この固定部５と一体的に連結された板状の端子６からなり、繊維コード２の端部を固定部５に少なくとも１回以上巻き付けた後に、固定部５のかしめ変形によって固着する。【選択図】      図３
0003127581.tif 000002
【実用新案登録請求の範囲】
【請求項１】
両端を治具で固着した繊維コードを試験機に取付けて繊維コードの特性を測定する際に使用する繊維コード試料であり、上記治具が繊維コードを圧着固定する筒状の固定部と、上記固定部と一体的に連結された板状の端子からなり、上記繊維コードの端部を上記固定部に少なくとも１回以上巻き付けた後に、上記固定部のかしめ変形によって固着することを特徴とする繊維コード試料。
【考案の詳細な説明】
【技術分野】
【０００１】
本考案は、繊維コード試料に関するものであり、簡単で正確に繊維コードの熱応力、粘弾特性等の測定が可能になる繊維コード試料に関する。
【背景技術】
【０００２】
熱応力とはコードの製造過程においてコードに蓄えられた歪みが、再加熱の際に収縮力として表れる応力である。異なった熱履歴を受けたコードは熱応力を測定すると、その履歴に応じて特長のある応力―温度曲線を描く。
【０００３】
測定する試料コードは、測定部の端部をフックに結びつけて測定するのが一般的であった。また、一般に電線用コード等を固定する治具としては、筒状のコード接続部と、二股状に分岐しねじ止め固定されるアース部とを一体に備えた圧着端子については特許文献１に記載されている。
【特許文献１】実開平６−１５２７２号
【考案の開示】
【考案が解決しようとする課題】
【０００４】
しかし、コード径が太くなると結び目に遊びが生じ、測定応力が正しく測定できない可能性があった。圧着端子を使用した場合でも、コード接続部でかしめて固着してもこの部分からコードが抜けることがあった。
【０００５】
本考案はこのような問題を改善するものであり、試料コード両端に圧着端子を取り付け、結び目による遊びをなくし、またコードの抜けをなくすことで熱応力測定が可能となる試料を提供することを目的とする。
【課題を解決するための手段】
【０００６】
即ち、本願の請求項１記載の考案では、両端を治具で固着した繊維コードを試験機に取付けて繊維コードの特性を測定する際に使用する繊維コード試料であり、上記治具が繊維コードを圧着固定する筒状の固定部と、上記固定部と一体的に連結された板状の端子からなり、上記繊維コードの端部を上記固定部に少なくとも１回以上巻き付けた後に、上記固定部のかしめ変形によって固着した繊維コード試料にある。
【考案の効果】
【０００７】
本考案の繊維コード試料では、繊維コードの端部を固定部に少なくとも１回以上巻き付けた後に、該固定部のかしめ変形によって固着することによって、繊維コードを強固に治具に固着することができ、正確に繊維コードの熱応力等を測定することができ、また結び目をつくらないために、結ぶ目による応力の遊びをなくすことができる。
【考案を実施するための最良の形態】
【０００８】
図１は本考案に係る測定に使用する繊維コード試料の全体図、図２は繊維コードの端部を治具の固定部へ１回通した状態を示す斜視図、図３は固定部をかしめて固着した状態を示す斜視図、そして図４は図２のＡ−Ａ断面図を示す。
【０００９】
本発明の繊維コード試料１は熱応力等の測定に用いるものであり、繊維コード２の両端部に治具３を装着している。この治具３は繊維コード２を変形によって圧着固定する筒状の固定部５と、該固定部５と一体的に連結された板状の端子６からなり、端子６にはチャック等に取付け易くするために貫通孔７が設けられている。上記治具３はアルミニウム、銅等の変形やすい金属であり、固定部５をかしめ変形が可能になり、筒状体に一部には切り裂き部が設けられている。
【００１０】
繊維コード２の端部は筒状の固定部５を貫通させて少なくとも１回以上巻き付けて締め付けられた後に、ラジオペンチで固定部５を挟んで押し潰し、これにより繊維コード２は固定部５に固着される。これにより、繊維コード試料１を用いることによって正確に繊維コードの熱応力、粘弾性特性等を測定することができる。
【図面の簡単な説明】
【００１１】
【図１】本考案に係る測定に用いる繊維コード試料の全体図である。
【図２】繊維コードの端部を治具の固定部へ１回通した状態を示す斜視図である。
【図３】固定部をかしめた状態を示す斜視図である。
【図４】図２のＡ−Ａ断面図を示す。
【符号の説明】
【００１２】
１  繊維コード試料
２  繊維コード
３  治具
５  固定部
６  端子
７  貫通孔
【図１】
0003127581.tif 000003
【図２】
0003127581.tif 000004
【図３】
0003127581.tif 000005
【図４】
0003127581.tif 000006
(57)【要約】【課題】ベネシアンブラインドに取り付ける防虫網を提供する。【解決手段】防虫網２０は、ブラインド１０のヘッドボックス１１とボトムレール１２の間に張る。防虫網の両側縁にはブラインドのスラット（羽根）１３の端部が嵌入できる平たいソケット２２を設ける。ソケットは、防虫網にべったっと張り付けるのではなく、スラット１３の角度を変えるとき妨げにならないよう、ソケットの一側を防虫網に縫い付ける。【選択図】図１
0003127587.tif 000002
【実用新案登録請求の範囲】
【請求項１】
昇降式ベネシャンブラインの片面を覆うための防虫網本体と、該防虫網本体の両縁に沿って間隔を存して設けた、該ブラインドのスラットの端部を嵌入するための平たいソケットから成るブラインド用防虫網。
【請求項２】
該ソケットが上下に回動できるよう、該ソケットの一側だけを該防虫網本体に留め付けた請求項１に記載のブラインド用防虫網。
【請求項３】
該防虫網本体の上縁および下縁をそれぞれ該ブラインドのヘッドボックスおよびボトムレールに支持するために、該防虫網本体の上縁および下縁に固定ベルトを設けた請求項１または２に記載のブラインド用防虫網。
【考案の詳細な説明】
【技術分野】
【０００１】
本考案は、ベネシアンブラインドに取り付ける防虫網に関する。
【背景技術】
【０００２】
家の開口に網戸とブラインドを２重に設ければ、目隠しと防虫の２つの効果が得られるが、開口を人が通るとき、網戸を開ける操作とブラインドを揚げる操作の両方が必要であり、大変面倒である。従来、ブラインドの上下のスラット同士を、細長く裁断した防虫網を繋いで、スラットの隙間から蚊が入らないようにしたものがある（実用新案登録３０３３７３０号）。このものは操作性がよいが、スラットと防虫網が交互に繋がったものを作るのが大変で、コスト高になる。
【考案の開示】
【考案が解決しようとする課題】
【０００３】
この考案は、既存のブラインドに簡単に取り付けられる防虫網を提供する。
【課題を解決するための手段】
【０００４】
この考案のブラインド用防虫網は、昇降式ベネシャンブラインドの片面を覆うための防虫網本体と、防虫網本体の両縁に沿って間隔を存して設けた、ブラインドのスラットの端部を嵌入するための平たいソケットから成る（請求項１）。このものでは、防虫網の両縁に沿って間隔を存して設けられているソケットに、スラットの両端をはめ込むことで、防虫網によって、ブラインドとブラインの隙間を、その全幅にわたって確実に塞ぐことができる。
【０００５】
ソケットは上下に回動できるよう、その一側だけを防虫網本体に支持することが好ましい（請求項２）。こうすれば、ソケットが上下に回動するので、スラットの角度を変える妨げにならない。
【０００６】
防虫網本体の上縁および下縁に固定ベルトを設けるようにすれば（請求項３）、これらのベルトを使って防虫網をブラインドのヘッドボックスおよびボトムレールの間に簡単に取り付けることができる。
【考案を実施するための最良の形態】
【０００７】
この考案の実施例を図面に基づいて説明する。図１は昇降式ベネシアンブラインド１０に取り付ける前の防虫網２０を、図２は取り付けた状態を示す。図３は断面図である。防虫網２０は、広げた状態のブライン１０とほぼ同じ大きさを有する。防虫網の材料は、軽くて柔らかのものが好ましく、ここでは化学繊維製の布で、蚊が通り抜けられない程度に目の粗いものを用いる。
【０００８】
防虫網の上縁および下縁にそれぞれ相互に間隔を存して取付ベルト２１を設ける。上縁の取付ベルトはブラインドのヘッドボックス１１に、下縁の取付ベルトはブラインドのボトムレール１２にそれぞれ巻きつけるようにして、防虫網２０をブラインド１０の一面に取り付ける。これら取付ベルト２１は取付け、取外しが簡単にできるよう、面ファスナ（図示しない。）を備えている。
【０００９】
防虫網の両側縁にはブラインドのスラット（羽根）１３の端部が嵌入できる平たいソケット２２を設ける。これらソケットにスラットの端部を挿入することで、防虫網が、ブラインド同士の隙間を、全幅にわたってしかりと塞ぎ、蚊の侵入を遮断する。
【００１０】
ソケット２２は、封筒のような袋状に構成されており、ソケットの入り口２２ａを内側、底２２ｂを外側に向けて防虫網２０に取り付ける（図１）。ソケットの取付は、防虫網にべったっと張り付けるのではなく、図３に示すように、スラット１３の角度を変えるとき妨げにならないよう、ソケットの一側を防虫網に縫い付けて、ソケットがスラットの角度変化に追従できるようにする。  
【００１１】
ブラインドを引き上げると、図３の下部に示すように、スラット１３が積み重なり、防虫網２０は弛んだ状態になる。しかしこれも、ブラインドを下げると、もとのように張る。
【００１２】
このように防虫網を取り付けたブラインドは、スラットの間から蚊等の虫の侵入を防止することができる。しかし、ブラインドの周囲を回り込んで侵入して来る蚊に対しては無防備であるので、防虫網の周縁を窓枠や戸などにピッタリと当てがうようにして使用するとよい。
【００１３】
その他、符号１４はブラインドの昇降コード、符号１５はラダーコード、符号１６はチルトポール、符号１７は操作コードである。
【図面の簡単な説明】
【００１４】
【図１】ブラインドおよび取付前の防虫網の斜視図である。
【図２】ブラインドに防虫網を取り付けた状態の部分斜視図である。
【図３】ブラインドに防虫網を取り付けた状態の横断面図である。
【符号の説明】
【００１５】
１０    ブラインド
１３    スラット
２０    防虫網
２１    取付ベルト
２２    ソケット
【図１】
0003127587.tif 000003
【図２】
0003127587.tif 000004
【図３】
0003127587.tif 000005
(57)【要約】【課題】何枚かの付箋紙に同じ内容をメモするという煩わしい作業を解消できる複写機能を持つ再剥離可能付箋紙を提供する。【解決手段】付箋紙２の表面に顕色剤層１を形成させ、該付箋紙２の裏面に発色剤層３を形成させたノーカーボン構造の付箋紙２の裏面の端部に再剥離型粘着層４を形成した構造のノーカーボン付箋紙を積層したノーカーボン付箋紙組で形成する。【選択図】図１
0003127521.tif 000002
【実用新案登録請求の範囲】
【請求項１】
付箋紙の表面に顕色剤層を形成させ、該付箋紙の裏面に発色剤層を形成させたノーカーボン構造の付箋紙の裏面の端部に再剥離型粘着層を形成した構造のノーカーボン付箋紙を積層したことを特徴とするノーカーボン付箋紙組。
【考案の詳細な説明】
【技術分野】
【０００１】
本考案は、付箋紙の表面に顕色剤層を形成させ、該付箋紙の裏面に発色剤層を形成させたノーカーボン構造の付箋紙の裏面の端部に再剥離型粘着層を形成した構造のノーカーボン付箋紙を積層したことを特徴とするノーカーボン付箋紙組に関するものである。
【背景技術】
【０００２】
従来から再剥離型粘着層を形成させた付箋紙を積層した付箋紙組が市販されている。付箋紙は付箋紙組から1枚の付箋紙を剥離させ、それにメモをして書類や必要な箇所に貼って利用されているが複写機能を持っていない。またノーカーボン紙は納品書等の事務書類等に複写機能を利用されているが、帳票として利用され付箋紙のように使われていない。
【特許文献１】登録実用新案第３０９７２０６号
【考案の開示】
【考案が解決しようとする課題】
【０００３】
解決しようとする問題点は、メモをした付箋紙と同じ内容がメモされた付箋紙を一度に何枚か欲しい場合が多々あり、従来は何枚かの付箋紙に同じ内容をメモするという煩わしい作業をしていた。
【課題を解決するための手段】
【０００４】
本考案は、付箋紙２の表面に顕色剤層１を形成させ、該付箋紙２の裏面に発色剤層３を形成させたノーカーボン構造の付箋紙２の裏面の端部に再剥離型粘着層４を形成した構造のノーカーボン付箋紙を積層したノーカーボン付箋紙組で形成する。
【考案の効果】
【０００５】
本考案のノーカーボン付箋紙組は、同じ構造のノーカーボン付箋紙を積層させてノーカーボン付箋紙組にした構造を持つため、該ノーカーボン付箋紙組から所望する枚数のノーカーボン付箋紙を剥離させたノーカーボン付箋紙組にボールペン等で感圧メモをすれば一度に所望する枚数のメモが複写された付箋紙が作成できる。
【０００６】
この数枚の複写されたノーカーボン付箋紙の剥離型粘着性を利用して複数の書類やノートや対象物などに貼り付け注意や備忘を図ったり、メモを複写された付箋紙を対象者に渡しメモ内容の共有をし、後日の情報確認作業をスムースにする等の大きな効果を奏する。
【０００７】
また残ったノーカーボン付箋紙組は、同じ構造のノーカーボン付箋紙を積層させてノーカーボン付箋紙組にした構造を持つため、再度の使用は剥離後の状態のままで対応できる利点がある。
【０００８】
さらに本考案は従来の付箋紙の注意や備忘を図るだけの使い方から、まったく新しい用途として関係者間の情報伝達と情報共有が簡単に行えるツールとしての市場を作るものである。
【考案を実施するための最良の形態】
【０００９】
本考案の付箋紙組を使用する形態として、関係者間の情報伝達と情報共有が簡単に行えるツールとして用いられることが多いため、白紙付箋紙よりも、表面に作成者、作成日、期限、重要、至急などの文字や罫線を印刷しておくと、記入ミスを防ぐとともに記入時間の短縮を図ることができる。他の使用形態としてはマンション工事現場の手直し指示や、営業連絡、社内連絡など各種の形態が考えれられるので、用途ごとに記入項目の印刷された付箋紙組があると利用しやすい。
【実施例１】
【００１０】
図２はノーカーボン付箋紙を積層したノーカーボン付箋紙組の実施例である。所望する枚数のノーカーボン付箋紙を剥離させて、剥離したノーカーボン付箋紙組にボールペン等で感圧メモをすれば一度に所望する枚数のメモを記入した付箋紙が作成できる。
【産業上の利用可能性】
【００１１】
従来の付箋紙は書類や対象物に貼り付けて目印にすることが主たる目的であった。しかし、本考案のノーカーボン付箋紙組は、貼り付けて目印にすること以外に、社内連絡事項をメモし関係者に配布するコミュニケーションのツールとして使ったり、工事業者が手直し箇所に貼り付けたと同じメモを手直し台帳に貼り付け情報連絡記録ツールとして使ったり、従来の付箋紙にない新しい用途のツールとしておおいに役立つ。
【図面の簡単な説明】
【００１２】
【図１】ノーカーボン付箋紙の側面図である。
【図２】ノーカーボン付箋紙組の斜視図である。
【符号の説明】
【００１３】
１    顕色剤層
２    付箋紙
３    発色剤層
４    再剥離型粘着層
【図１】
0003127521.tif 000003
【図２】
0003127521.tif 000004
(57)【要約】【課題】    本考案は液体のほかゼリー液や金属箔など半固形状の化粧材料をいかに混合するかが課題である。【解決手段】  １図は構造断面図で２中フタをはずし３ａ本体口から化粧材料の液体や薬品、金属箔などを３本体容器に入れ２中フタをかぶせ３本体容器でシェークすると４球体ボールが矢印のように移動し容器内壁との衝撃と摩擦により細かく分散され化粧液として１フタを取り使用でき美容効果がある。【選択図】図１
0003127503.tif 000002
【実用新案登録請求の範囲】
【請求項１】
本体容器の中に球形のボールを入れた化粧材料の混合シェーカー
【考案の詳細な説明】
【技術分野】
【０００１】  本考案は本体容器に球体ボールを入れた化粧材料混合器に関する。
【背景技術】
【０００２】  従来のシェーカー容器には球体ボールを入った容器はなかつた。
【考案の開示】
【考案が解決しようとする課題】
【０００３】  液体のほかゼリー液や金属箔など半固形状の化粧材料をいかに混合するかが課題である。
【課題を解決するための手段】
【０００４】  容器に球体ボールを入れシェークすることで球体ボールと容器内壁の衝撃と摩擦により液体はもとより数種の化粧材はより細かく分散され混合する。
【考案の効果】
【０００５】  本考案は化粧液に漢方薬や金属箔などいろいろな素材を混合し美容効果がある。
【考案を実施するための最良の形態】
【実施例】
【０００６】  本考案の図面に従って説明する、（図１）は構造断面図で２中フタをはずし３ａ本体口から化粧材料の液体や薬品、金属箔などを入れ２中フタをかぶせ３本体容器でシェークすると４球体ボールが矢印のように移動し容器内壁との衝撃と摩擦により細かく分散され化粧液として使用できるようになる。【０００７】  ３本体容器は化粧液に対しての細かい分散や混合状態が確認出来るように透明樹脂素材で製作し又２中フタの２ａは４球体ボールの円のアールに合った柔軟性のある樹脂材質で加工した。【０００８】  使用する時は混合状態を確認して１フタを下に３本体容器を回転すると４球体ボールが２ａのアール部分にはまり固定され２ａより１キャップの部分に化粧液の１回分の量を蓄え使用することができる。
【図面の簡単な説明】
【０００９】
【図１】  構造断面図
【符号の説明】
【００１０】  １    キャップ
２    中フタ
２ａ  ４球体ボールの円のアールに合った形状
３    本体容器
３ａ  材料入口
４    球体ボール
【図１】
0003127503.tif 000003
(57)【要約】【課題】    本考案は箸本体先の部分に食物を掴み易く乗せ易くするために二股を設け、落とすのを防止する。【解決手段】    本考案は箸本体１に分岐点２を設け、その先部分を二股３にすることにより、食物を掴んだり乗せたりして口へ運び入れる際に落とすのを防止するのに役立つ。【選択図】図１
0003127504.tif 000002
【実用新案登録請求の範囲】
【請求項１】
箸本体先の部分を二股にすることを特徴とする先部分二股箸
【考案の詳細な説明】
【技術分野】
【０００１】  本考案は、食物を掴んだり乗せたりして口へ運ぶ先の部分を二股にした、箸に関するものである。
【背景技術】
【０００２】  丸形や四角形の先を細くした適度な長さの棒状の箸で、食物を掴んだり乗せたりして口へ運んでいた。
【考案の開示】
【考案が解決しようとする課題】
【０００３】  棒状の箸では、豆類のように丸い食物、豆腐や煮込んだおでんの大根等の柔らかくて崩れ易い食物、また、こんにゃく等の滑りやすい食物は、掴んだり乗せたりして口へ運ぶ際に落とすことが多々ある。従って、箸の先の部分を二股にすることで面が広がり安定度を増すことで落とさずに口へ運ぶことが可能になり、前述の欠点を解決しようとするものである。
【課題を解決するための手段】
【０００４】  本考案は、箸本体の先の部分を二股にすることで問題を解決している。
【考案の効果】
【０００５】  上述の様に、本考案の先部分二股箸は先の部分が二股になっていることで、丸い食物、柔らかくて崩れ易い食物、滑り易い食物等を落とさずに口へ運ぶことに役立つ。
【考案を実施するための最良の形態】
【０００６】  箸本体の食物を掴んだり乗せたりする先の部分を二股にする。また、二股の間を狭くすることで口の中へ食物を運び入れることが自在になる。
【実施例】
【０００７】  以下、添付図面に従って一実施例を説明する。１は耐久性の材木等適宣素材にて一体化形成された箸本体、２は食物を掴んだり乗せたりするために、該箸本体に設けた二股の分岐点、３は二股の部分。【０００８】  本考案の一実施例は上述の如き構成からなるものであるから、箸本体１は通常の箸としてもちいることは勿論、二股部分３を設けたことでこれまで難しかった食物を掴んだり運んだりすることが容易になる。
【図面の簡単な説明】
【０００９】
【図１】本考案の先部分二股箸の一実施例を示す平面図である。
【符号の説明】
【００１０】  １  箸本体
２  二股の分岐点
３  二股部分
【図１】
0003127504.tif 000003
(57)【要約】      （修正有）【課題】電気を使わないがローリングで足裏を刺激する、基盤に溝を二本設けその中に球体を転がす形の足裏マッサージ器である。衛生的に水洗いが容易に出来て、肌触りの良い素材である。長期使用によるひずみも少なくする。ローリングする球体が足指の付け根からかかとの中央まで届き且つ，一点集中の指圧もできる。【解決手段】球体は直径４１ｍｍ〜３７ｍｍの硬質の球体を使用する。球体の表面に小さなディンプル（凹み）があれば一層刺激が良く、また滑り止め効果もある。基盤は集成材の板を使用する。集成材はそりが少なく、木の肌触りや、夏冷たく冬温かな特徴がある。基盤に縦２５０ｍｍ，横４３ｍｍ，深さ１７ｍｍの溝を二本設けそこで硬質の球体を椅子に座りながら両方の足裏で転がす事により標準的な足のサイズの人の足指の付け根からかかとの中央まで両足同時にローリングによるマッサージができる。【選択図】図１
0003127507.tif 000002
【実用新案登録請求の範囲】
【請求項１】
長さ３５８ｍｍ、巾２６５ｍｍ、厚さ３０ｍｍの集成材の板に縦２５０ｍｍ、横４３ｍｍ、深さ１７ｍｍの溝を９６ｍｍの間隔を空けて平行に２本設けたものを基盤の溝とし、その溝にそれぞれ直径４１ｍｍ〜３７ｍｍの硬質の球体を入れ溝が縦方向になるように床に置き、更に基盤の前に椅子を置き腰掛けながら硬質の球体を溝にそって足裏で転がす事によるマッサージ器。
【請求項２】
基盤の溝の中にさらに直径２０ｍｍ、深さ５ｍｍのくぼみを付けそこに硬質の球体を固定させ足裏の刺激したい部分を当て立ち上がる事により一点集中の指圧を安全に且つ両足同時に施す事が出来るようにした請求項１記載のマッサージ器。
【考案の詳細な説明】
【技術分野】
【０００１】本考案は、木の板に溝を設け，そこに硬質の球体を転がす形の、足裏専用のマッサージ器である。
【背景技術】
【０００２】電動式の足裏マッサージ器やつぼを押すだけの踏み板や古くは青竹踏みなどがあった。また従来、特許  平１−１７２８３１に２本の溝に球体を転がすマッサージ器があったが、溝の長さが短く足つぼで重要な足指付根と踵の中央を一度にローリングする事が出来ないし、溝の巾が広すぎる為、溝と球体に皮膚を挟むことがあり、また一点集中の指圧の際，球体が不安定である。
【考案の開示】
【考案が解決しようとする課題】
【０００３】電動式は経済的負担も大きく丸洗いできないので不衛生である。踏み板、青竹踏み等はローリングに依るほぐし効果は得られない。また台座の無いところで球体を転がすと足からすり抜けやすい。溝付き台座があっても溝のサイズが短いと足指の付け根から踵の中央迄ローリング出来ない。また一点集中の指圧もしたい。
【課題を解決するための手段】
【０００４】本考案の第一は、長さ３５８ｍｍ、巾２６５ｍｍ、厚さ３０ｍｍの集成材の板に縦２５０ｍｍ、横４３ｍｍ、深さ１７ｍｍの溝を９６ｍｍの間隔を空けて平行に２本設けたものを基盤とし、その溝にそれぞれ直径４１ｍｍ〜３７ｍｍの硬質の球体を入れ、溝にそって足裏でその硬質の球体を転がす事に依るローリングによるマッサージ器である。溝があるため球体がすり抜ける事無く、標準的なサイズの足指の付け根からかかとの中央まで転がす事が出来る。簡単な素材である為価格が安く丸洗いができる。集成材は反りが少なく長期利用が出来る。【０００５】本考案の第二は、第一の考案の基盤の溝の中にさらに直径２０ｍｍ、深さ５ｍｍのくぼみを付けそこに硬質の球体を固定させ足裏の特に刺激したい部分を当てて立ち上がる事により一点集中の指圧を安全に且つ両足同時に施す事が出来る。
【考案の効果】
【０００６】上記のように，本考案の足裏マッサージ器は溝の長さが標準的な足のサイズの人の足指の付け根から踵の中央迄のローリングによりほぼ足全体のつぼを刺激でき、且つ球体がくぼみで固定される事により、つぼを的確にとらえ、つぼを押さえる力も立ち上がる事で最大自分の体重分掛ける事が出来る。足裏は臭い易い部分なので洗えることで、家族全員が衛生的に使用する事ができる。
【考案を実施するための最良の形態】
【０００７】基盤を溝が縦方向になるように床に置き、溝にそれぞれ一つずつ直径４１ｍｍ〜３７ｍｍの硬質の球体を入れる。直径４１ｍｍ〜３７ｍｍの硬質の球体とは例えばゴルフボールでも良く、プラスチック、金属、木、石、陶器、ガラスでも良く、マッサージ効果を出す為には，球体の表面に小さなディンプル（凹み）があると一層良い。基盤を床に置く際、溝の中にあるくぼみは手前に来るように置く。
基盤の前に椅子を  置き、腰掛けながら両足でそれぞれゴルフボールを足  裏で前後するように転がす。
【実施例】
【０００８】椅子に腰掛け基盤の溝にあるゴルフボールを足裏で前後する事により揉みほぐす。
溝全体を使って足指の付け根から踵の中央迄揉みほぐす。左右は自分で調節する。【０００９】好みの部分のみを足を前後してローリングで揉みほぐす。【００１０】ゴルフボールを窪みに固定し好みの足裏のつぼを押し当てるように立ち上がる。
強すぎるときは片足を基盤から外し床につき体重の掛け方を調節する。
【図面の簡単な説明】
【００１１】
【図１】本考案を斜め横から見たところ
【図２】本考案を真上から見たところ
【図３】使用状態を示す横から見た図
【符号の説明】
【００１１】１        基盤
２        溝
３        窪み
４        硬質の球体
５        椅子
【図１】
0003127507.tif 000003
【図２】
0003127507.tif 000004
【図３】
0003127507.tif 000005